(57)【要約】【課題】座位時における逆戻り防止性能に優れた吸収性物品を提供する。【解決手段】上記課題は、下層吸収体２３Ｂにおける股間部Ｃ２を含む前後方向中間の所定部分が幅の狭い括れ部分２３ｎとして形成され、上層吸収体２３Ｕにおける幅方向中央線の左右両側に、上層吸収体２３Ｕの表裏面に貫通する上層スリット４０が、股間部Ｃ２から後側部分Ｂ２にかけてそれぞれ延在され、この上層スリット４０は、下層吸収体２３Ｂの括れ部分２３ｎのうち後側拡幅開始位置２３ｗよりも後側において、後側に向うにつれてより幅方向外側に位置するように延在する拡散促進部分４１を有し、且つ下層吸収体２３Ｂには、少なくとも上層スリット４０と重なる位置にスリットを有しない、吸収パッド２００により解決される。【選択図】図５
2010131206.tif 000002
【特許請求の範囲】
【請求項１】
股間部の前側及び後側にそれぞれ延出する前側部分及び後側部分を有し、
少なくとも股間部から後側部分にかけて前後方向に延在する下層吸収体が設けられるとともに、この下層吸収体の上に、下層吸収体よりも幅が狭く且つ少なくとも股間部から後側部分にかけて前後方向に延在する上層吸収体が設けられた、吸収性物品において、
前記下層吸収体は、股間部を含む前後方向中間の所定部分が幅の狭い括れ部分として形成されており、
前記上層吸収体における幅方向中央線の左右両側に、上層吸収体の表裏面に貫通する上層スリットが、股間部から後側部分にかけてそれぞれ延在されており、
この上層スリットは、前記下層吸収体の括れ部分のうち後側に向かうにつれて幅が拡大し始める後側拡幅開始位置よりも後側において、後側に向うにつれてより幅方向外側に位置するように延在するか又は幅方向に沿って幅方向中央側から幅方向外側に向かって延在する拡散促進部分を有しており、且つ
前記下層吸収体には、少なくとも上層スリットと重なる位置にスリットを有しない、
ことを特徴とする吸収性物品。
【請求項２】
前記上層スリットの拡散促進部分の前端が、前記下層吸収体の括れ部分における後側拡幅開始位置を通る幅方向線上またはその近傍に位置しており、
前記上層スリットの拡散促進部分における幅方向外側縁の接線と前後方向とのなす角をθ１とし、前記下層吸収体の括れ部分の側縁の接線と前後方向とのなす角をθ２としたとき、前記上層スリットの拡散促進部分と対応する前後方向範囲内の各前後方向位置において、次の関係式、
０°  ≦  θ１  ≦  ９０°
θ１−２０°  ≦  θ２  ≦  θ１＋２０°
を満足するように構成されている、請求項１記載の吸収性物品。
【請求項３】
前記上層スリットの拡散促進部分の後端が前記下層吸収体の側縁から離間しており、且つその幅方向離間距離Ｌ１が、前記下層吸収体における前記括れ部分の後端の幅をＬとしたとき、１０ｍｍ  ≦  Ｌ１  ≦  Ｌ／３の関係を満足するように構成されている、請求項２記載の吸収性物品。
【請求項４】
吸収性物品の全長をＭとし、前記上層スリットの拡散促進部分の後端よりも後側部分の前後方向長さをＭ１とし、前記上層スリットの拡散促進部分の後端よりも前側部分の前後方向長さをＭ２としたとき、Ｍ／２  ≦  Ｍ２  ＜  Ｍの関係を満足するように構成されている、請求項３記載の吸収性物品。
【請求項５】
前記上層スリットの幅が１０〜３０ｍｍである、請求項４記載の吸収性物品。
【請求項６】
前記左右の上層スリットは、前記拡散促進部分の前側に連続する部分として、左右の上層スリット間の幅方向間隔が２０〜４０ｍｍである導入部分を有している、請求項５記載の吸収性物品。
【発明の詳細な説明】
【技術分野】
【０００１】
本発明は、吸収性物品に関するものである。
【背景技術】
【０００２】
吸収性物品においては、種々の吸収性能が要求され、その代表的なものの一つに逆戻り性能がある。逆戻りとは吸収体により一度吸収された尿が再び物品表面に戻り出てくる現象であり、逆戻りし易いと、不必要に肌が排泄物で汚れるといった問題点がるため、逆戻りし難いものが望まれている。特に、このような要望は成人向けの使い捨ておむつ、吸収パッド等の吸収性物品に多いものである。このような逆戻りに対する解決策も種々提案されており（例えば特許文献１、２参照）、一般的には、表面シート、中間シート（吸収体と表面シートとの間に介在される）、吸収体等の素材の最適化が汎用されている解決策である。
【特許文献１】特表２００４−５１２８６２号公報
【特許文献２】特表２００４−４００９３２号公報
【発明の開示】
【発明が解決しようとする課題】
【０００３】
しかしながら、依然として逆戻りに対しては改善の余地があり、特に、装着者が座位をとっているときに発生する逆戻りに対して有効な解決策が提供されていない。
そこで、本発明の主たる課題は、座位時における逆戻り防止性能に優れた吸収性物品を提供することにある。
【課題を解決するための手段】
【０００４】
上記課題を解決した本発明は次記のとおりである。
＜請求項１記載の発明＞
股間部の前側及び後側にそれぞれ延出する前側部分及び後側部分を有し、
少なくとも股間部から後側部分にかけて前後方向に延在する下層吸収体が設けられるとともに、この下層吸収体の上に、下層吸収体よりも幅が狭く且つ少なくとも股間部から後側部分にかけて前後方向に延在する上層吸収体が設けられた、吸収性物品において、
前記下層吸収体は、股間部を含む前後方向中間の所定部分が幅の狭い括れ部分として形成されており、
前記上層吸収体における幅方向中央線の左右両側に、上層吸収体の表裏面に貫通する上層スリットが、股間部から後側部分にかけてそれぞれ延在されており、
この上層スリットは、前記下層吸収体の括れ部分のうち後側に向かうにつれて幅が拡大し始める後側拡幅開始位置よりも後側において、後側に向うにつれてより幅方向外側に位置するように延在するか又は幅方向に沿って幅方向中央側から幅方向外側に向かって延在する拡散促進部分を有しており、且つ
前記下層吸収体には、少なくとも上層スリットと重なる位置にスリットを有しない、
ことを特徴とする吸収性物品。
【０００５】
（作用効果）
本発明者の知見によれば、座位時に排尿があると、吸収体により吸収された尿が股間部という幅が狭く押し潰された部分を通じて後側に移動し難く、その結果として逆戻りが発生し易くなる。これに対して、上述のような上層スリットを設けた構造を採用した場合、座位時のように厚さ方向の圧縮力が加えられた状態でも、上層スリットが尿の拡散経路として確保されるため、股間部において局所的に吸収体に至った尿が上層スリットに沿って後側に拡散する過程で、上層スリットの拡散促進部分に沿って幅方向外側にも拡散し、より幅の広い下層吸収体に対して幅方向に広範囲に拡散供給される。よって、逆戻りが発生し難く成る。また、上層スリットが股間部まで存在していることにより、物品の股間部と身体とのフィット性が良好となる。
【０００６】
＜請求項２記載の発明＞
前記上層スリットの拡散促進部分の前端が、前記下層吸収体の括れ部分における後側拡幅開始位置を通る幅方向線上またはその近傍に位置しており、
前記上層スリットの拡散促進部分における幅方向外側縁の接線と前後方向とのなす角をθ１とし、前記下層吸収体の括れ部分の側縁の接線と前後方向とのなす角をθ２としたとき、前記上層スリットの拡散促進部分と対応する前後方向範囲内の各前後方向位置において、次の関係式、
０°  ≦  θ１  ≦  ９０°
θ１−２０°  ≦  θ２  ≦  θ１＋２０°
を満足するように構成されている、請求項１記載の吸収性物品。
【０００７】
（作用効果）
上層スリット及び下層吸収体がこのような形状及び位置関係を有していると、上述の本発明の効果がより一層のものとなる。
【０００８】
＜請求項３記載の発明＞
前記上層スリットの拡散促進部分の後端が前記下層吸収体の側縁から離間しており、且つその幅方向離間距離Ｌ１が、前記下層吸収体における前記括れ部分の後端の幅をＬとしたとき、１０ｍｍ  ≦  Ｌ１  ≦  Ｌ／３の関係を満足するように構成されている、請求項２記載の吸収性物品。
【０００９】
（作用効果）
このように、上層スリットの拡散促進部分の後端を下層吸収体の側縁からある程度離間させつつ、十分に下層吸収体の側部まで延在させることにより、上層スリットによる幅方向の拡散が過大とならない範囲で、下層吸収体に対して十分に広範囲に尿を拡散することができるようになる。
【００１０】
＜請求項４記載の発明＞
吸収性物品の全長をＭとし、前記上層スリットの拡散促進部分の後端よりも後側部分の前後方向長さをＭ１とし、前記上層スリットの拡散促進部分の後端よりも前側部分の前後方向長さをＭ２としたとき、Ｍ／２  ≦  Ｍ２  ＜  Ｍの関係を満足するように構成されている、請求項３記載の吸収性物品。
【００１１】
（作用効果）
このように、上層スリットの拡散促進部分の後端を十分に後側に延在させつつも、物品後端から十分に離間させることにより、上層スリットによる後側への拡散が適度となる。上層スリットをあまりに物品後側まで延在させると、後側への拡散が過大となって、いわゆる背漏れが発生するおそれがある。
【００１２】
＜請求項５記載の発明＞
前記上層スリットの幅が１０〜３０ｍｍである、請求項４記載の吸収性物品。
【００１３】
（作用効果）
上層スリットの幅が狭過ぎるとスリットが幅方向に潰れ易くなり、狭過ぎるとスリット内に上下部材が入り込み、いずれにせよ拡散のための空間が減少するため好ましくない。
【００１４】
＜請求項６記載の発明＞
前記左右の上層スリットは、前記拡散促進部分の前側に連続する部分として、左右の上層スリット間の幅方向間隔が２０〜４０ｍｍである導入部分を有している、請求項５記載の吸収性物品。
【００１５】
（作用効果）
この間隔が狭過ぎても広過ぎても、上層スリット内への尿の導入効果が乏しくなるため好ましくない。
【発明の効果】
【００１６】
以上のとおり本発明によれば、座位時における逆戻り防止性能に優れるようになる、等の利点がもたらされる。
【発明を実施するための最良の形態】
【００１７】
以下、本発明の一実施形態について添付図面を参照しながら詳説する。なお、本発明の用語のうち「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。物品の前後方向中間あるいは吸収体の前後方向中間に幅の狭い括れ部分を有する場合は、いずれか一方又は両方の括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。
【００１８】
図１〜図４は、本発明に係る吸収パッド例２００を示している。この吸収パッド２００は、股間部Ｃ２と、その前後両側に延在する前側部分Ｆ２及び後側部分Ｂ２とを有するものである。各部の寸法は適宜定めることができ、例えば、物品全長（前後方向長さ）Ｍは３５０〜７００ｍｍ程度、全幅Ｗ１は１３０〜４００ｍｍ程度（ただし、おむつの吸収面の幅より狭い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。
【００１９】
吸収パッド２００は、外面に外装シート３２が積層された不透液性バックシート２１の内面と、透液性トップシート２２との間に、吸収体２３が介在された基本構造を有している。
【００２０】
吸収体２３の裏面側には、不透液性バックシート２１が吸収体２３の周縁より若干食み出すように設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２１】
また、不透液性バックシート２１の外面は、不織布からなる外装シート３２により覆われており、この外装シート３２は、所定の食み出し幅をもってバックシート２１の周縁より外側に食み出している。外装シート３２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２２】
吸収体２３の表面側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２３】
トップシート２２と吸収体２３との間には、中間シート２５を介在させるのが望ましい。この中間シート２５は、吸収体２３により吸収した尿の逆戻りを防止するために設けられるものであり、保水性が低く、且つ透液性の高い素材、例えばメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅２５ｗは後述する上層吸収体２３Ｕの幅Ｌ２の５０〜９０％程度であるのが好ましい。
【００２４】
吸収パッド２００の前後方向両端部では、外装シート３２および透液性トップシート２２が吸収体２３の前後端よりも前後両側にそれぞれ延在されて貼り合わされ、吸収体２３の存在しないエンドフラップ部ＥＦが形成されている。吸収パッド２００の両側部では、外装シート３２が吸収体２３の側縁よりも外側にそれぞれ延在され、この延在部からトップシート２２の側部までの部分の内面にはバリヤシート２４の幅方向外側の部分２４ｘが前後方向全体にわたり貼り付けられ、吸収体２３の存在しないサイドフラップ部ＳＦを構成している。これら貼り合わせ部分は、図１では点模様で示されており、ホットメルト接着剤、ヒートシール、超音波シールにより形成できる。これらエンドフラップ部ＥＦ及びサイドフラップ部ＳＦは、本発明の周縁部をなし、これらにより囲まれる部分が本発明の本体部をなす。外装シート３２を設けない場合、外装シート３２に代えて不透液性バックシート２１をサイドフラップ部ＳＦまで延在させ、サイドフラップ部ＳＦの外面側を形成することができる。
【００２５】
バリヤシート２４の素材としては、プラスチックシートやメルトブローン不織布を使用することもできるが、肌への感触性の点で、不織布にシリコンなどにより撥水処理をしたものが好適に使用される。
【００２６】
バリヤシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２７】
また、両バリヤシート２４，２４は、幅方向外側の部分２４ｘが前後方向全体にわたり物品内面（図示形態ではトップシート２２表面および外装シート３２内面）に貼り合わされて固定されるとともに、幅方向中央側の部分２４ｃが、前後方向の両端部では物品内面（図示形態ではトップシート２２表面）に貼り合わされて固定され、かつ前後方向の両端部間では物品内面（図示形態ではトップシート２２表面）に固定されていない。この非固定部分は、図１に示されるように、物品内面（図示形態ではトップシート２２表面）に対して起立可能なバリヤ部となる部分であり、その起立基端２４ｂはバリヤシート２４における幅方向外側の固定部分２４ｘと内側の部分２４ｃとの境に位置する。
【００２８】
吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、吸収体２３はクレープ紙等の包装シート（図示せず）により包むことができる。また、吸収体２３の形状は、相対的に前側の部分が後側の部分よりも幅広な帯状、あるいは長方形状、台形状等、適宜の形状とすることができる。
【００２９】
吸収体２３は、下層吸収体２３Ｂの上に、下層吸収体２３Ｂの幅Ｌよりも幅Ｌ２が狭く且つ少なくとも股間部Ｃ２から後側部分Ｂ２にかけて前後方向に延在する上層吸収体２３Ｕが積層された二層構造となっている。上層吸収体２３Ｕの前後方向長さＭ４は下層吸収体２３Ｂの前後方向長さＭ３と同じであっても良いが、７０〜８５％程度とするのが望ましい。また、上層吸収体２３Ｕの全幅Ｌ２は下層吸収体２３Ｂの全幅Ｌの４０〜６０％程度とするのが望ましい。
【００３０】
吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。より詳細には、下層吸収体２３Ｂの繊維目付けは例えば８０〜４００ｇ／ｍ2程度、高吸収性ポリマーの目付けは例えば５０〜４００ｇ／ｍ2程度とすることができ、上層吸収体２３Ｕの繊維目付けは例えば８０〜３００ｇ／ｍ2程度、高吸収性ポリマーの目付けは例えば１０〜２００ｇ／ｍ2程度とすることができる。
【００３１】
下層吸収体２３Ｂは、股間部Ｃ２を含む前後方向中間の所定部分が幅の狭い括れ部分２３ｎとして形成されている。この括れ部分２３ｎの最小幅Ｌ３は、括れ部分２３ｎの前後に位置する非括れ部分の幅Ｌ１の５０〜６５％程度であるのが好ましい。また、物品前端を０％とし物品後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｌ３となる部位（最小幅部位）は２５〜３０％の範囲に位置しているのが好ましい。また、下層吸収体２３Ｂは、少なくとも次述の上層スリット４０と重なる位置にスリットを有しないものであり、この部位以外にスリットを有していても良いが、全体にわたりスリットを有しないのが望ましい。
【００３２】
上層吸収体２３Ｕは、幅方向中央線の左右両側に、表裏面に貫通する上層スリット４０が、股間部Ｃ２から後側部分Ｂ２にかけてそれぞれ延在されており、この上層スリット４０は、下層吸収体２３Ｂの括れ部分２３ｎのうち後側に向かうにつれて幅が拡大し始める後側拡幅開始位置（最小幅部位）２３ｗよりも後側において、後側に向うにつれてより幅方向外側に位置するように延在するか、又は幅方向に沿って幅方向中央側から幅方向外側に向かって延在する拡散促進部分４１を有している。この拡散促進部分４１は図示例のように下層吸収体２３Ｂの括れ部分２３ｎに沿う円弧状等の曲線状をなしているのが好ましいが、直線状であっても良い。また、図示形態の上層吸収体２３Ｕは、長方形状をなしているが、下層吸収体と同様に前後方向中間部に括れ部分を有していても良い（図示略）。
【００３３】
このような構造を有していると、座位時のように厚さ方向の圧縮力が加えられた状態でも、上層スリット４０が尿の拡散経路として確保されるため、図５に矢印で示すように、股間部Ｃ２の排泄位置（図中の黒塗り星マーク）において局所的に吸収体２３に至った尿が上層スリット４０に沿って後側に拡散する過程で、上層スリット４０の拡散促進部分４１に沿って幅方向外側にも拡散し、より幅の広い下層吸収体２３Ｂに対して幅方向に広範囲に拡散供給される。よって、逆戻りが発生し難く成る。また、上層スリット４０が股間部Ｃ２まで存在していることにより、物品の股間部Ｃ２と身体とのフィット性が良好となる。
【００３４】
なお、このような観点から、上層スリット４０の拡散促進部分４１の前端は、下層吸収体２３Ｂの括れ部分２３ｎにおける後側拡幅開始位置２３ｗを通る幅方向線上またはその近傍に位置しているのが好ましい。また、上層スリット４０の拡散促進部分４１における幅方向外側縁の接線と前後方向とのなす角をθ１とし、下層吸収体２３Ｂの括れ部分２３ｎの側縁の接線と前後方向とのなす角をθ２としたとき、上層スリット４０の拡散促進部分４１と対応する前後方向範囲内の各前後方向位置において、次の関係式、
０°  ≦  θ１  ≦  ９０°
θ１−２０°  ≦  θ２  ≦  θ１＋２０°
を満足するように構成されているのが好ましく、
特に、次の関係式、
０°  ≦  θ１  ≦  ４０°
θ１−１０°  ≦  θ２  ≦  θ１＋５°
を満足するように構成されているのが好ましい。
【００３５】
さらに、上層スリット４０の拡散促進部分４１の後端は下層吸収体２３Ｂの側縁から離間しているのが好ましい。この場合、その幅方向離間距離Ｌ１が、下層吸収体２３Ｂにおける括れ部分２３ｎの後端の幅をＬとしたとき、１０ｍｍ  ≦  Ｌ１  ≦  Ｌ／３の関係を満足するように構成されているのが好ましく、特に５０ｍｍ  ≦  Ｌ１  ≦  Ｌ／３の関係を満足するように構成されているのが好ましい。このように、上層スリット４０の拡散促進部分４１の後端を下層吸収体２３Ｂの側縁からある程度離間させつつ、十分に下層吸収体２３Ｂの側部まで延在させることにより、上層スリット４０による幅方向の拡散が過大とならない範囲で、下層吸収体２３Ｂに対して十分に広範囲に尿を拡散することができるようになる。
【００３６】
また、吸収性物品の全長をＭとし、上層スリット４０の拡散促進部分の後端よりも後側部分Ｂ２の前後方向長さをＭ１とし、上層スリット４０の拡散促進部分４１の後端よりも前側部分の前後方向長さをＭ２としたとき、Ｍ／２  ≦  Ｍ２  ＜  Ｍの関係を満足するように構成されているのが好ましく、特にＭ／７  ≦  Ｍ２  ＜  Ｍ／３の関係を満足するように構成されているのが好ましい。このように、上層スリット４０の拡散促進部分４１の後端を十分に後側に延在させつつも、物品後端から十分に離間させることにより、上層スリット４０による後側への拡散が適度となる。上層スリット４０をあまりに物品後側まで延在させると、後側への拡散が過大となって、いわゆる背漏れが発生するおそれがある。
【００３７】
上層スリット４０の幅ｗは適宜定めることができるが、通常の場合１０〜３０ｍｍの範囲内にあるのが好ましく、特に１０〜１５ｍｍの範囲内にあるのが好ましい。上層スリット４０の幅ｗが狭過ぎるとスリットが幅方向に潰れ易くなり、狭過ぎるとスリット４０内に上下部材（例えば吸収体２３の包装シート）が入り込み、いずれにせよ拡散のための空間が減少するため好ましくない。
【００３８】
一方、上層スリット４０は、拡散促進部分４１の前側に連続する部分として、左右のスリット間隔ｄが２０〜４０ｍｍである導入部分４２を有しているのが好ましい。より好ましい間隔ｄは１０〜４０ｍｍである。この導入部分４２の前後方向長さは、物品全長の１０〜３５％程度、特に１２〜３５％程度であるのが好ましい。
【００３９】
さらに、上層スリット４０は、この導入部分４２の前端から幅方向外側に向きを変えて、上層吸収体２３Ｕの側縁に向かって延在する前側間隔拡大部４３を有している。前側間隔拡大部４３は、前側に向うにつれてより幅方向外側に位置するように延在するか、又は幅方向に沿って幅方向中央側から幅方向外側に向かって延在する曲線状又は直線状をなしているのが好ましい。また、この前側間隔拡大部４３は先端が図示形態のように上層吸収体２３Ｕの側縁に貫通しているのが好ましいが、上層吸収体２３Ｕの側縁までは到達させずに、側縁から離間させることもできる。
【００４０】
他方、股間部Ｃ２へのフィット性を高めるために、吸収パッド２００の幅方向両側部における吸収体２３の裏面側に、前側部分Ｆ２から後側部分Ｂ２にわたり延在するように糸ゴム等の細長状弾性部材を設けることもできるが、上層スリット４０の存在により股間部Ｃ２へのフィット性が高くなるため、図示形態のように省略することができる。
【産業上の利用可能性】
【００４１】
本発明は、吸収パッド、パンツタイプ若しくはテープタイプ使い捨ておむつ、または整理用ナプキン等、吸収性物品全般に利用できるものである。
【図面の簡単な説明】
【００４２】
【図１】テープ式使い捨ておむつの展開状態の内面側を示す平面図である。
【図２】要部のみを示す平面図である。
【図３】図１のＹ−Ｙ断面図である。
【図４】図１のＺ−Ｚ断面図である。
【図５】図２の要部のみを示す平面図である。
【符号の説明】
【００４３】
２１…不透液性バックシート、２２…透液性トップシート、２３Ｕ…上層吸収体、２３Ｂ…下層吸収体、２４…バリヤシート、３２…外装シート、４０…上層スリット、２００…吸収パッド。
【図１】
2010131206.tif 000003
【図２】
2010131206.tif 000004
【図３】
2010131206.tif 000005
【図４】
2010131206.tif 000006
【図５】
2010131206.tif 000007